(57)【特許請求の範囲】
【請求項１】
基礎（１３）から土台（４）の抜穴（５）を経て突出したアンカーボルト（３）を、柱（８）に接合する木造建築用連結金具において、
アンカーボルト（３）の突出方向を整える円筒状の修整体（１）と、修整体（１）の上に位置し且つ接合ピン（７）又はボルト（Ｂ）・ナット（Ｎ）を利用して柱（８）とアンカーボルト（３）を連結する円柱状の金具本体（２）と、が一体化しており、
修整体（１）は、アンカーボルト（３）を挿通可能で且つ土台（４）の抜穴（５）とアンカーボルト（３）の隙間に埋め込むもので、
金具本体（２）は、柱（８）の小口中央部に開けた取付穴（９）に挿入するもので、金具本体（２）の下部には、修整体（１）の上方から突出するアンカーボルト（３）をねじ込むための雌ネジ（１０）を備え、さらに該雌ネジ（１０）よりも上部には、柱（８）の側面に開けた挿入孔（１２）から差し込まれる接合ピン（７）又はボルト（Ｂ）を貫通させるための貫通穴（１１）を備え、
前記修整体（１）と前記金具本体（２）との境界には、埋め込む深さを決定する際の目安となる凹形状又は凸形状の位置決め部（６）を有することを特徴とする木造建築用連結金具。
【発明の詳細な説明】
【０００１】
【発明の属する技術分野】
本発明は、土台上の柱をアンカーボルトに接合するための木造建築用連結金具に関する。
【０００２】
【従来の技術】
上述した木造建築用連結金具としては、図５に示すようにＬ字状のホールダウン金物９１が一般的に知られている。
【０００３】
ところが、ホールダウン金物９１は、地震時の柱９２の引き抜きを防止するものであって、土台９３に対する柱の位置決めをするものではない。従ってホールダウン金物を使用する場合に、柱と土台には位置決め用のほぞ９４とほぞ穴９５が必要であり、その加工は熟練を要する面倒な作業であった。また、柱の側面にパネル９６を取り付ける場合には、ホールダウン金物が邪魔になるので、パネルの一部９７を切り欠くことになり、体裁が悪かった。さらに、柱の引き抜き防止の力は、本来的には柱の鉛直方向にかかるのが理想的であるが、ホールダウン金物を用いた場合は柱の側面側にかかることになる。
【０００４】
【発明が解決しようとする課題】
本発明は上記実情を考慮して創作されたもので、その目的は、柱と土台に要する加工が容易で、柱に取り付けるパネルの体裁も良く、しかも、柱の引き抜き防止の力が効率の良い方向にかかる木造建築用連結金具を提供することである。
【０００５】
【課題を解決するための手段】
請求項１に係る発明は、基礎から土台の抜穴を経て突出したアンカーボルトを、柱に接合する木造建築用連結金具において、アンカーボルトの突出方向を整える円筒状の修整体と、修整体の上に位置し且つ接合ピン又はボルト・ナットを利用して柱とアンカーボルトを連結する円柱状の金具本体と、が一体化しており、修整体は、アンカーボルトを挿通可能で且つ土台の抜穴とアンカーボルトの隙間に埋め込むもので、金具本体は、柱の小口中央部に開けた取付穴に挿入するもので、金具本体の下部には、修整体の上方から突出するアンカーボルトをねじ込むための雌ネジを備え、さらに該雌ネジよりも上部には、柱の側面に開けた挿入孔から差し込まれる接合ピン又はボルトを貫通させるための貫通穴を備え、前記修整体と前記金具本体との境界には、埋め込む深さを決定する際の目安となる凹形状又は凸形状の位置決め部を有することを特徴とする。
【０００６】
金具本体の「円柱状」とは、側面から見た場合の外観が円柱状であればよいことを意味し、具体的には、円柱の下部に雌ネジを形成したものだけでなく、円筒の下部に雌ねじを形成したものをも含む概念である。また、必ずしも、金具本体の全長を取付穴に挿入するとは限らず、その下端部が抜穴に僅かに入る場合もある。
【０００７】
さらに、修整体と金具本体との境界には、埋め込む深さを決定する際の目安とするため、凹形状又は凸形状の位置決め部を有している。
【０００８】
凹凸の位置決め部があれば、位置決め部のない単なる筒状に比べて、目視や、埋め込み作業時に手に伝わる感覚が優れ、土台の抜穴へ修整体を埋め込む際の目安とできる。また、凸形状の位置決め部であれば、土台を基礎に押し付けることができるので、土台と基礎の連結強度も向上する。
【０００９】
【発明の実施の形態】
本発明の木造建築用連結金具の第一実施形態は図１及び図２に示すように、二つの別体品、即ち、修整体１と、金具本体２とから構成される。
【００１０】
金属製の修整体１は、アンカーボルト３の突出方向を整える役割と、アンカーボルト３にねじ込む金具本体２の下端位置を決定する際の目安となる役割を果たす。修整体１の具体的な構造は、円筒状で、外径を土台４の抜穴５にがたつきなく嵌り込む程度か、抜穴５より僅かに大きい程度とし、内径をアンカーボルト３の外径より僅かに大きくしてある。また、その上端部には、抜穴５に埋め込む際の目安となる皿状の位置決め部６を有し、その外径を抜穴５より大きくしてある。
【００１１】
金具本体２は、接合ピン７を利用して柱８とアンカーボルト３を連結する役割を果たす。金具本体２の具体的な構造は、円柱状で、その外径を、柱８の小口（下端面）中央部に開けた取付穴９にがたつきなく嵌り込む程度か、取付穴９より僅かに大きい程度としておく。また、その下部には、修整体１の内部に通じる雌ネジ１０を有し、上部には接合ピン７を差し込む複数の貫通穴１１を、上下に間隔を開けて且つ縦横に直交して形成してある。
【００１２】
上述した木造建築用連結金具を取り付ける手順を２回に分けて説明する。取付前の準備として、柱８を立てる箇所以外で土台４を別のアンカーボルトＡにナットで連結して基礎１３に固定しておく。また、切削工具を利用して、予め柱８に丸い取付穴９を形成すると共に、取付穴９に金具本体２を挿入した状態を想定して柱８の四つの側面に接合ピン用の挿入孔１２を、金具本体２の貫通穴１１に一致する位置に開けておく。その後、取付を開始する。まず、基礎１３から土台４の抜穴５を経て突出したアンカーボルト３に修整体１を通し、その上から金具本体２をアンカーボルト３の雄ネジにねじ込む。ねじ込みを開始する前は、アンカーボルト３の突出位置及び突出方向は、基礎を丁寧に施工しても抜穴５の中心及び鉛直方向から通常僅かにずれている。しかし、ねじ込みによって抜穴５とアンカーボルト３の隙間に修整体１が埋め込まれると、抜穴５が鉛直方向に開けてあるので、抜穴５に埋め込んだ修整体１によって、アンカーボルト３の突出位置が抜穴５の中心に、突出方向が鉛直方向に修整される。ねじ込んで埋め込む際には、位置決め部６が抜穴５に入ることなく土台４の上に衝突するのでその手応えが伝わる。従って、位置決め部６が埋め込み深さを決定する際の目安となり、その手応えを感じた後に、さらに深くねじ込み土台４を凹ませ、土台４の上面とほぼ面一になるまで修整体１を埋め込む。なお、位置決め部６の座りをよくするために、抜穴５の上端部を座ぐり加工しておいてもよい。
【００１３】
次に、土台４上に突出した金具本体２の貫通穴１１の方向を、これから立てる柱８の側面方向にあわせるべく、ねじ込みの増減を行う。その後、柱８の取付穴９を金具本体２に挿入して柱を立て、柱８の側面の挿入孔１２と金具本体２の貫通穴１１を一致させて接合ピン７を差し込む。このようにして、柱８とアンカーボルト３を連結すると、修整体１、金具本体２及び接合ピン７は柱８及び土台４の中に収容されるので、パネル１４を切り欠くことなくそのまま柱８に取り付けることができる。
【００１４】
本発明の木造建築用連結金具の第二実施形態は図３に示すように、金具本体２の下に修整体１を連続した一体品であること、並びに修整体１の位置決め部６を鍔状に形成したことを特徴とする。また、接合ピン７の代わりにボルトＢ・ナットＮを用いてもよく、この場合、パネル１４をそのまま取り付けるべく、貫通穴１１はその両端部を深く座ぐり加工して、ボルトＢの頭部及びナットＮを柱８に収容する。第二実施形態は、作業者が注意を払わなくとも、位置決め部６によって金具本体２が抜穴５に埋め込まれるのを自然と阻止できるので、作業しやすい。また、柱８と土台４が一体品の第二実施形態を介して水平方向に連結された状態となるので、横揺れ地震時にも柱８と土台４の連結を確保できる。
【００１５】
本発明の木造建築用連結金具の第三実施形態は図４に示すように、修整体１の位置決め部６を断面く字の凹溝形状に形成したことを特徴とする。この場合、最も深く凹んだ部分を土台４の上面に合わせて、アンカーボルト３にねじ込む。
【００１６】
本発明は上記実施形態に限定されるものではない。修整体１と金具本体２の外径は同一であっても良いし、異なっていても良い。修整体１と金具本体２が一体品の場合は、金具本体２の外径を修整体１の外径より大きくしておけば、金具本体２の下端が位置決め部６の役割を果たす。また、位置決め部６が凸形状である場合も、皿状や鍔状のようなリング形状に限らない。
【００１７】
【発明の効果】
本発明の木造建築用連結金具を使用すれば、柱と土台には丸ノコやドリル等の切削工具を用いて丸穴を開けるだけで済み、修整体と抜穴が従来のほぞとほぞ穴の代わりを果たすので、ほぞとほぞ穴のような熟練を要する加工が不要となり、その結果、柱と土台への加工が容易に行える。しかも、修整体と金具本体の取付もねじ込み作業だけなので、柱をアンカーボルトに連結する施工性も良い。また、本発明の木造建築用連結金具は柱と土台に完全に収容されるので、柱の側面にパネルを取り付ける場合でも、パネルを切り欠く必要がなく、体裁が良い。さらに、柱の真下から突出したアンカーボルトに柱を連結できるので、引き抜き防止の力が、理想的な方向から加わる。
【００１８】
また、修整体と金具本体との境界に位置決め部を有することで、抜穴に対する修整体の埋め込み深さを把握しやすくなり、作業が容易になる。
【図面の簡単な説明】
【図１】  本発明の木造建築用連結金具の第一実施形態を使用した柱とアンカーボルトの連結構造を示す縦断面図である。
【図２】  本発明の木造建築用連結金具の第一実施形態を示す正面図である。
【図３】  本発明の木造建築用連結金具の第二実施形態を示す一部切欠正面図である。
【図４】  本発明の木造建築用連結金具の第三実施形態を示す一部切欠正面図である。
【図５】  従来の木造建築用連結金具を使用した柱とアンカーボルトの連結構造を示す縦断面図である。
【符号の説明】
１  修整体
２  金具本体
３  アンカーボルト
４  土台
５  抜穴
６  位置決め部
７  接合ピン
８  柱
９  取付穴
１０  雌ネジ
１１  貫通穴
１２  挿入孔
１３  基礎
Ｂ  ボルト
Ｎ  ナット
【図１】
0004689863.tif 000002
【図２】
0004689863.tif 000003
【図３】
0004689863.tif 000004
【図４】
0004689863.tif 000005
【図５】
0004689863.tif 000006